(57)【要約】【課題】ワンルームマンションやアパート等の狭い室内であっても、キッチン周りのスペースを利用して、洗面のための設備と洗濯のための設備を設置すると共に、キッチンに必要とされる冷蔵庫及び電子レンジ、さらには食器洗機等を設けることを可能としたキッチンのシステム構造を提供する。【解決手段】流し台２の前方壁部３に設けられた棚４の開閉扉５の前面に鏡６を設ける一方、流し台２におけるワークトップ７の下方又は流し台２の側方に洗濯乾燥機８を収納配置すると共に、流し台２の側方に冷蔵庫９、電子レンジ１０、食器洗機１１等のキッチン周りに必要な機器を収納配置したことにより、流し台の周辺空間をキッチンの他に洗面と洗濯のための空間として併用することができるようにした。【選択図】図１ 
0003114241.tif 000002
【実用新案登録請求の範囲】
【請求項１】
流し台の前方壁部に設けられた棚の開閉扉の前面に鏡を設ける一方、前記流し台におけるワークトップの下方又は前記流し台の側方に洗濯乾燥機を収納配置すると共に、前記流し台の側方に冷蔵庫、電子レンジ、食器洗機等のキッチン周りに必要な機器を収納配置したことにより、流し台の周辺空間をキッチンの他に洗面と洗濯のための空間として併用することができるようにしたことを特徴とするキッチンのシステム構造。
【請求項２】
前記ワークトップの下方に洗濯乾燥機を収納配置したことを特徴とする請求項１記載のキッチンのシステム構造。
【請求項３】
流し台の側方に収納棚を設け、該収納棚の前面に、該収納棚に配列された機器の周部を縁取る装飾用枠が着脱自在に設けられたことを特徴とする請求項１又は２記載のキッチンのシステム構造。
【請求項４】
前記流し台の側方に設置するキッチン周りに必要な機器の組み合わせにおいて、少なくとも冷蔵庫を有する組み合わせを一体型に構成したことを特徴とする請求項１、２又は３記載のキッチンのシステム構造。
【請求項５】
前記流し台の側方に設置するキッチン周りに必要な機器の組み合わせにおいて、少なくとも洗濯乾燥機を有する組み合わせを一体型に構成したことを特徴とする請求項１、２又は３記載のキッチンのシステム構造。
【請求項６】
前記流し台の側方に設置するキッチン周りに必要な機器の組み合わせにおいて、少なくとも洗濯乾燥機と冷蔵庫とを有する組み合わせを一体型に構成したことを特徴とする請求項１、２又は３記載のキッチンのシステム構造。
【請求項７】
前記流し台の側方に設置するキッチン周りに必要な機器の組み合わせにおいて、洗濯乾燥機と食器洗機と冷蔵庫と電子レンジとを二列にした組み合わせを一体型に構成したことを特徴とする請求項１、２又は３記載のキッチンのシステム構造。
【考案の詳細な説明】
【技術分野】
【０００１】
本考案は、ワンルームマンションやアパート等の狭い室内であっても、キッチン周りのスペースを利用して、キッチンの他に洗面のための設備と洗濯のための設備を兼用することができるようにしたキッチンのシステム構造に関する。
【背景技術】
【０００２】
近年において、ワンルームマンションやアパート等の狭い部屋を有効利用する方法として、風呂とトイレを兼用したユニットバスを設置することが行われている。ところが、このようなユニットバスの内部に設けられた洗面設備は非常に簡素であって、鏡は小型であり、化粧品等の収納棚もまた粗末なものであった。
【０００３】
また、このようなユニットバスには、一般的に、洗濯乾燥機を設置する場所がないため、洗濯乾燥機はべランダ等に設置するか、設置するのをあきらめて、洗濯を流し台で行うか、コインランドリー等で行うしかないというのが現状であった。
【０００４】
一方、ワンルームマンションやアパート等においては、流し台を中心とする水周りに関する設備は必須であるものの、室内が狭いため、その周辺に設けるべき冷蔵庫や電子レンジ、さらには食器洗機等の機器を設置するスペースが確保できないという問題があった。
【０００５】
ここで、上記の問題を解消するためになされた特許文献１について説明する。この文献に記載された考案は、キッチンと水回り設備のユニットシステムに関するものであり、図１１に示すように、キッチン用具を装備したキッチンユニット５１と給湯器を備えた給湯ユニット５２と洗濯乾燥機を備え付ける防水パンユニット５３と収納ユニット５４とを少なくとも含み、これらのユニットを取り付けスペースに合わせて予め別個に形成し、適宜配列して組み合わせることにより一体化したものである。
【特許文献１】特開平７−２３１８１５号公報
【考案の開示】
【考案が解決しようとする課題】
【０００６】
上記の特許文献１に記載されている構成は、図１１に示すように、少なくとも、キッチンユニット５１と給湯ユニット５２と防水パンユニット５３と収納ユニット５４とを配列し、これらのユニットを組み合わせることにより一体化したものであるため、流し台を有するキッチンユニット５１を設置するスペースのほかに、給湯ユニット５２と防水パンユニット５３と収納ユニット５４とを設置するスペースを必要とするものである。
【０００７】
ところが、ワンルームマンションやアパート等のキッチン周りにおいては、流し台と冷蔵庫とを設置するスペースを確保するのが限度であり、上記のように給湯ユニット５２と防水パンユニット５３と収納ユニット５４とを設置するスペースを確保することができないのが現状である。
【０００８】
また、上記の特許文献１に記載されている構造においては、鏡や収納棚等の洗面設備の設置スペースは確保されておらず、キッチン周りを洗面のためのスペースとして有効利用し得るものではない。
【０００９】
本考案は、上記の事情に鑑みてなされたもので、ワンルームマンションやアパート等の狭い室内であっても、従来のキッチン周りのスペースを利用して、洗面のための設備と洗濯のための設備を設けると共に、キッチンに必要とされる冷蔵庫及び電子レンジ、さらには食器洗機等を設けることを可能としたキッチンのシステム構造を提供することを目的とする。
【課題を解決するための手段】
【００１０】
上記の目的を達成するために、本考案による請求項１のキッチンのシステム構造は、流し台の前方壁部に設けられた棚の開閉扉の前面に鏡を設ける一方、前記流し台におけるワークトップの下方又は前記流し台の側方に洗濯乾燥機を収納配置すると共に、前記流し台の側方に冷蔵庫、電子レンジ、食器洗機等のキッチン周りに必要な機器を収納配置したことにより、流し台の周辺空間をキッチンの他に洗面と洗濯のための空間として併用することができるようにしたことを特徴とする。
【００１１】
また、本考案の請求項２は、請求項１において、前記ワークトップの下方に洗濯乾燥機を収納配置したことを特徴とする。
【００１２】
また、本考案の請求項３は、請求項１又は２において、流し台の側方に設けられた収納棚の前面に、該収納棚に配列された機器の周部を縁取る装飾用枠が着脱自在に設けられたことを特徴とする。
【００１３】
また、本考案の請求項４は、請求項１、２又は３において、前記流し台の側方に設置するキッチン周りに必要な機器の組み合わせにおいて、少なくとも冷蔵庫を有する組み合わせを一体型に構成したことを特徴とする。
【００１４】
また、本考案の請求項５は、請求項１、２又は３において、前記流し台の側方に設置するキッチン周りに必要な機器の組み合わせにおいて、少なくとも洗濯乾燥機を有する組み合わせを一体型に構成したことを特徴とする。
【００１５】
また、本考案の請求項６は、請求項１、２又は３において、前記流し台の側方に設置するキッチン周りに必要な機器の組み合わせにおいて、少なくとも洗濯乾燥機と冷蔵庫とを有する組み合わせを一体型に構成したことを特徴とする。
【００１６】
さらに、本考案の請求項７は、請求項１、２又は３において、前記流し台の側方に設置するキッチン周りに必要な機器の組み合わせにおいて、洗濯乾燥機と食器洗機と冷蔵庫と電子レンジとを二列にした組み合わせを一体型に構成したことを特徴とする。
【考案の効果】
【００１７】
本考案のキッチンのシステム構造によれば、従来において単なる壁面であった箇所や、単なる収納スペースであった空間を利用して、広い面積の鏡付き棚を設けたり、洗濯乾燥機を設けたり、冷蔵庫、電子レンジ、食器洗機等のキッチン周りに必要な機器を収納配置することが可能となり、洗濯乾燥機の設置箇所等を別途拡張しなくても、従来のキッチンに必要とされていた空間を利用して、流し台の周辺をキッチンの他に洗面と洗濯のための空間として併用することが可能となる。
【００１８】
従って、本考案は、ワンルームマンションやアパート等の狭い室内であっても、キッチン周りのスペースを有効利用して、洗面のための設備と洗濯のための設備を設け、キッチンに必要とされる冷蔵庫及び電子レンジ、さらには食器洗機等を設けることによって、利便で快適な生活空間を構築することが可能となる。
【考案を実施するための最良の形態】
【００１９】
以下、本考案の実施例について図面を参照しながら説明する。
【実施例１】
【００２０】
本考案によるキッチンのシステム構造は、流し台２の前方壁部３に設けられた棚４の開閉扉５の前面に鏡６を設ける一方、流し台２におけるワークトップ７の下方又は流し台２の側方に洗濯乾燥機８を収納配置すると共に、流し台２の側方に冷蔵庫９、電子レンジ１０、食器洗機１１等のキッチン周りに必要な機器を収納配置したことにより、流し台２の周辺空間をキッチンの他に洗面と洗濯のための空間として併用することができるようにしたものである。
【００２１】
そのような構造の一例として、図１〜図４に示すものは、流し台２の前方壁部３に設けられた棚４の前面に両開き式の開閉扉５、５を設けると共に、その前面に防湿性の鏡６を設け、さらに、流し台２におけるワークトップ７の下方のスペースに前面開口型の洗濯乾燥機８を収納配置し、流し台２の側方のスペースに設けられた収納棚１２に冷蔵庫９、電子レンジ１０、食器洗機１１等のキッチン周りに必要な機器を設置したものである。
【００２２】
上記の構成において、流し台２には向かって右方にシンク１３が設けられ、このシンク１３の奥方には混合水栓１４が設けられ、シンク１３の左方には調理台１５とＩＨヒータ(電磁誘導加熱調理器)１６とを備えたワークトップ７が設けられているため、炎を出さない状態で安全に調理を行うことが可能となる。
【００２３】
また、シンク１３の下方には排水管１７が設けられているため、通常の流し台２と同様に、シンク１３を調理用に使用するほか、混合水栓１４を利用し、調整された温水又は常温水によって洗顔等を行うための洗面設備として利用することも可能である。
【００２４】
また、流し台２の前方壁部３に設けられた棚４は、流し台２の幅いっぱいの比較的広い面積を利用して複数段の棚板４ａ、４ａ…を有する構成としてあるため、調理関係の器具や調味料や材料等のほかに、化粧や洗顔のための用具や化粧品等を収納しておくことができる。また、棚４の前面に設けられた両開きの扉５、５を閉めた状態にしておけば、目の前に広い面積の鏡６が設けられた状態となり、化粧や洗顔の際に利用するほか、室内が広く綺麗に見える効果を有する。
【００２５】
さらに、図１に示すキッチンにおいては、流し台２のワークトップ７の下方のスペースに洗濯乾燥機８を収納配置した構成とされている。従来の流し台２においては、ワークトップ７の下方の空間は、収納用の空きスペースとされていたが、このスペースに前面開口８ａを有する洗濯乾燥機８を収納設置することによって、空きスペースを無駄なく有効利用することが可能となる。
【００２６】
このような構造によれば、シンク１３において手作業で行う洗濯と洗濯乾燥機８を利用して行う洗濯とを一台の流し台２で併用することが可能となる。また、ワークトップ７の下方位置の洗濯乾燥機８とシンク１３とは近接した位置にあるため、シンク１３で行う洗濯と洗濯乾燥機８で行う洗濯とを、ほとんど同様の立ち位置で進めることが可能となり、シンク１３で洗濯したものを即座に洗濯乾燥機８で乾燥することが可能となる。
【００２７】
なお、上記の洗濯乾燥機８としては、前面に開口蓋８ａを有する乾燥機能を備えた洗濯乾燥機８を用いるのがよい。このような洗濯乾燥機８を用いることによって、ワークトップ７の直下で洗濯乾燥機８の蓋を開閉することができる。また、洗濯乾燥機８の乾燥機能の使用により、室内や室外に洗濯物を干す手間を省くことが可能となる。
【００２８】
なお、図１〜図４に示すキッチンにおいて、図１又は図３に示すように、鏡６付きの棚４の下方には蛍光灯１８が設けられ、その横方には蛍光灯のスイッチ１８ａが設けられ、この蛍光灯１８によりワークトップ７及びシンク１３の上方およびその周辺を照明することが可能とされている。
【００２９】
また、図３に示すように、流し台２には引き出し１９が設けられ、さらに、シンク１３の下方を閉塞する扉の内側には包丁差し２０が設けられている。
【００３０】
一方、図１に示すキッチンにおいては、流し台２の側方のスペースに冷蔵庫９、電子レンジ１０、食器洗機１１等のキッチン周りに必要な機器が設けられている。そのような機器の設置方法としては、キッチン周りに必要な機器として選択されたものを縦方向に配列した状態で収納設置し得る収納棚１２を構成している。
【００３１】
なお、流し台２の側方のスペースに洗濯乾燥機８を設けて、上記のワークトップ７の下方のスペースに他の機器を設けることも可能である。
【００３２】
そのような収納棚１２の構成としては、図５(ａ)、(ｂ)に示すように、背面の壁部や天井を利用して両側の側板２１、２１を造作すると共に、両側の側板２１，２１の内側に複数の棚板２２、２２…を設ける。この複数の棚板２２は、設置すべき選択された機器の縦方向の配列状況に応じて、高さ調整された状態で固定した構造としてもよいし、夫々の棚の高さを調整し得るように棚の高さ調整用金具を取付けた構造としてもよい。
【００３３】
さらに、図５(ｃ)に示すように、このように収納棚１２に配列された機器に応じて、縦長のパネルの縦方向に機器の前面を突出させるための複数の開口部２３ａを形成した装飾用枠２３を形成し、この装飾用枠２３を着脱自在に取り付けるための固定用金具２４を設けて、取り外し可能に固定するようにしている。
【００３４】
なお、上記の収納棚１２の上部には、空きスペースを有する棚２５が設けられ、その前に設けられた両開き式の開閉扉２６によって閉塞することが可能とされている。なお、開閉扉２６の中央には扉スリット２６ａが設けられ、前方から棚２５内がわずかに見え、また内部の通気を行うようにしている。
【００３５】
また、図４に示すように、収納棚１２内の背面には所定高さに複数のコンセント２８が設けられ、夫々の棚板２２、２２…に設置された機器の電源とすることができる。
【００３６】
さらに、図４に示すように、収納棚１２の側板２１には放熱スリット２９が複数個所に設けられ、収納棚１２の内部に設置された機器の放熱を行うようにしている。
【００３７】
上記の構成においては、流し台２の側方の収納棚１２に縦方向に所定間隔で棚板２２、２２…を設けてあるが、図６〜図１０に示すように、組み合わせた機器を一体型に構成して設置することも可能である。
【００３８】
即ち、図６(ａ)に示すように、食器洗機１１の上に同幅の電子レンジ１０を設けた組み合わせとし、図６(ｂ)に示すように、これらの食器洗機１１と電子レンジ１０とを同一のケース２７で構成することによって一体的な構造にしてもよい。
【００３９】
また、図７(ａ)に示すように冷蔵庫９の上に電子レンジ１０を設けた組み合わせとし、また図７(ｂ)に示すように冷蔵庫９の上に食器洗機１１を設けた組合わせとし、さらには図７(ｃ)に示すように冷蔵庫９の上に食器洗機１１を設け、さらにその上に電子レンジ１０を設けた組み合わせとし、このように組み合わされた機器を同一のケース２７で構成することによって一体的な構造にしてもよい。
【００４０】
また、図８(ａ)に示すように洗濯乾燥機８の上に電子レンジ１０を設けた組み合わせとし、また図８(ｂ)に示すように洗濯乾燥機８の上に食器洗機１１を設けた組み合わせとし、さらに図８(ｃ)に示すように洗濯乾燥機８の上に食器洗機１１を設け、さらにその上に電子レンジ１０を設けた組み合わせとし、このように組み合わされた機器を同一のケース２７で構成することによって一体的な構造にしてもよい。
【００４１】
また、図９(ａ)に示すように冷蔵庫９の上に洗濯乾燥機８を設けた組み合わせとし、図９(ｂ)に示すように冷蔵庫９の上に電子レンジ１０を設け、さらにその上に洗濯乾燥機８を設けた組み合わせとし、さらには図９(ｃ)に示すように冷蔵庫９の上に洗濯乾燥機８を設け、さらにその上に電子レンジ１０を設けた組み合わせとし、このように組み合わされた機器を同一のケース２７で構成することによって一体的な構造にしてもよい。
【００４２】
さらに、図１０(ａ)、(ｂ)に示すように冷蔵庫９の上に電子レンジ１０を設けた組み合わせと、洗濯乾燥機８の上に食器洗機１１を設けた組み合わせとを並列して同一のケース２７で構成することによって一体的な構造にしてもよい。
【産業上の利用可能性】
【００４３】
本考案のキッチンのシステム構造は、ワンルームマンションやアパート等の狭い室内であっても、キッチン周りのスペースを利用して、洗面のための設備と洗濯のための設備を設けると共に、キッチンに必要とされる冷蔵庫及び電子レンジ、さらには食器洗機等を設けることを可能としたキッチンのシステム構造として利用することが可能となる。
【図面の簡単な説明】
【００４４】
【図１】本考案によるキッチンのシステム構造に関する正面図である。
【図２】本考案によるキッチンのシステム構造に関する平面図である。
【図３】図２のA−A矢示線に沿う縦断面図である。
【図４】図２のB−B矢示線に沿う縦断面図である。
【図５】(ａ)は本考案によるキッチンのシステム構造において流し台の側方に設けた機器の収納棚に関する正面図であり、(ｂ)は装飾用枠を取り外した収納棚の正面図であり、（c）は装飾用枠の正面図である。
【図６】本考案によるキッチンのシステム構造において流し台の側方に設ける機器の組み合わせに関する一例であり、(ａ)は正面図、(ｂ)は斜視図である。
【図７】(ａ)〜(ｃ)は、本考案によるキッチンのシステム構造において流し台の側方に設ける機器の組み合わせに係り、少なくとも冷蔵庫を有する組み合わせに関する正面図である。
【図８】(ａ)〜(ｃ)は、本考案によるキッチンのシステム構造において流し台の側方に設ける機器の組み合わせに係り、少なくとも洗濯乾燥機を有する組み合わせに関する正面図である。
【図９】(ａ)〜(ｃ)は、本考案によるキッチンのシステム構造において流し台の側方に設ける機器の組み合わせに係り、少なくとも洗濯乾燥機と冷蔵庫とを有する組み合わせに関する正面図である。
【図１０】本考案によるキッチンのシステム構造において流し台の側方に設ける機器の組み合わせに係り、洗濯乾燥機と食器洗機と冷蔵庫と電子レンジとを二列に組み合わせた図面であり、(ａ)はその正面図、(ｂ)はその斜視図である。
【図１１】特許文献１のユニットシステムに関する正面図である。
【符号の説明】
【００４５】
２  流し台
３  壁部
４  棚
４ａ  棚板
５  開閉扉
６  鏡
７  ワークトップ
８  洗濯乾燥機
９  冷蔵庫
１０  電子レンジ
１１  食器洗機
１２  収納棚
１３  シンク
１４  混合水栓
１５  調理台
１６  ＩＨヒータ
１７  排水管
１８  蛍光灯
１８ａ  スイッチ
１９  引き出し
２０  包丁差し
２１  側板
２２  棚板
２３  装飾用枠
２３ａ  開口部
２４  固定用金具
２５  棚
２６  開閉扉
２６ａ  扉スリット
２７  ケース
２８  コンセント
２９  放熱スリット
【図１】
0003114241.tif 000003
【図２】
0003114241.tif 000004
【図３】
0003114241.tif 000005
【図４】
0003114241.tif 000006
【図５】
0003114241.tif 000007
【図６】
0003114241.tif 000008
【図７】
0003114241.tif 000009
【図８】
0003114241.tif 000010
【図９】
0003114241.tif 000011
【図１０】
0003114241.tif 000012
【図１１】
0003114241.tif 000013